(57)【要約】【課題】  フックスイッチを用いずにハンドセットを置いた際のオンフックを検出でき、オンフックを正確に検出できるようにする。【解決手段】  ハンドセット１への人体の接触を検出する接触センサー４、ハンドセット１の動きを検出する動きセンサー６をハンドセット１に設ける。オフフックの状態で、人体の接触を検出しなくなった後で動きを検出しなくなると、使用者がハンドセット１を落として使用者の手からハンドセット１が離れて人体の接触が検出されなくなった後に落ちたハンドセット１の動きが検出されたと判断して、切替部１４はオンフックの状態へ切り替えないようにしている。また、動きを検出しなくなった後で人体の接触を検出しなくなると、置かれたハンドセット１の動きが検出されなくなった後に使用者がハンドセット１を手から離したことにより人体の接触が検出されなくなったと判断して、切替部１４はオンフックの状態へ切り替えるようにしている。【選択図】        図２
2012231345.tif 000002
【特許請求の範囲】
【請求項１】
他の電話装置との間で通話可能であり、使用者によって把持されるハンドセットを備えた電話装置において、
前記ハンドセットの動きを検出する動きセンサーと、
前記ハンドセットへの人体の接触を検出する接触センサーと、
オフフックの状態およびオンフックの状態を切り替える切替部と、
前記切替部の状態、前記動きセンサーが前記ハンドセットの動きを検出しなくなるタイミング、および、前記接触センサーが前記ハンドセットへの人体の接触を検出しなくなるタイミングを判定し、前記切替部がオフフックの状態であると判定した場合に、前記動きセンサーが動きを検出しなくなった後で前記接触センサーが人体の接触を検出しなくなったと判定したときに、前記切替部をオンフックの状態へ移行させる制御部と、
を備えることを特徴とする電話装置。
【発明の詳細な説明】
【技術分野】
【０００１】
本発明は、ハンドセットを所定の場所に置いたり所定の場所から取り上げたりすることにより通話を切断したり接続したりする電話装置に関する。
【背景技術】
【０００２】
従来、電話装置では、ハンドセットを置き台などの所定の場所に置くことで、置き台に設けられているフックスイッチがハンドセットの重みにより押されてオンとなる（換言すると、オンフックの状態になる）。他の電話装置との間で通話路が形成されている状態でフックスイッチが押されると、電話装置は他の電話装置との間で形成されていた通話路を切断する。また、ハンドセットを置き台から取り上げることで、ハンドセットの重みにより押されていたフックスイッチが元の状態に戻ってオフとなる（換言すると、オフフックの状態になる）。他の電話装置から呼び出しが行われている状態でフックスイッチが元の状態に戻ると、電話装置は他の電話装置との間で通話路を形成する。
【０００３】
ところで、このような電話装置では、電話装置の使用者が通話を終えるためにハンドセットを置き台に置いた場合に、ハンドセットが置き台の正しい位置に置かれないことがあった。そのため、フックスイッチがハンドセットの重みにより押されない状態になり、電話装置がオンフックの状態にならなくなってしまうという問題があった。
【０００４】
このような問題を解決するための技術として、人の手がハンドセットに触れた場合にオンフックの状態からオフフックの状態に移行し、人の手がハンドセットから離れた場合にオフフックの状態からオンフックの状態に移行する技術が知られている（例えば、特許文献１など）。特許文献１に記載の電話機は、人体（例えば、手など）がハンドセットに接触したことを検出する接触検出部を備えている。そして、人体がハンドセットに接触したことを接触検出部にて検出した場合に、オンフックの状態からオフフックの状態へ移行する。また、人体がハンドセットに接触したことを接触検出部にて検出しなくなった場合に、オフフックの状態からオンフックの状態へ移行するようにしている。
【０００５】
このような、特許文献１に記載の技術を前述の電話装置に適用すると、使用者がオフフックの状態からオンフックの状態へ移行させるためにハンドセットを置き台に置いた場合には、使用者の手とハンドセットとが離れた時点で接触検出部が使用者の手を検出しなくなるので、電話装置は、オフフックの状態からオンフックの状態へ移行する。そのため、フックスイッチを置き台に設ける必要がなくなる。しかしながら、この従来技術では、使用者の手を検出しなくなるとオフフックの状態からオンフックの状態へ移行するようにしているので、使用者がハンドセットを置き台に置く場合だけでなく、使用者がハンドセットを落として使用者の手からハンドセットが離れた場合でもオフフックの状態からオンフックの状態へ移行してしまい、オフフックの状態からオンフックの状態への移行を正確に行うことができないという問題があった。
【０００６】
一方、ハンドセットの動きに基づいてオンフックの状態へ移行する技術が知られている（例えば、特許文献２など）。特許文献２に記載の通信装置は無線電話器などであり、通信装置の動きを検出する加速度計を内蔵している。そして、オフフックの状態で加速度計が動きを検出している状態から動きを検出していない状態に変化した場合に、オフフックの状態からオンフックの状態へ移行するようにしている。
【０００７】
しかしながら、特許文献２に記載の技術では、動きを検出しなくなるとオフフックの状態からオンフックの状態へ移行するようにしているので、使用者がハンドセットを置き台に置く場合だけでなく、使用者がハンドセットを落としてハンドセットが床などに落ちた場合でもオフフックの状態からオンフックの状態へ移行してしまい、オフフックの状態からオンフックの状態への移行を正確に行うことができないという問題があった。
【先行技術文献】
【特許文献】
【０００８】
【特許文献１】特開平６−２１６９７７号公報
【特許文献２】特開２００８−７９３４３号公報
【発明の概要】
【発明が解決しようとする課題】
【０００９】
本発明は、このような問題を解決するために成されたものであり、フックスイッチを用いずにハンドセットを置いた際のオンフックを検出することができるようにしつつ、オンフックを正確に検出することができるようにすることを目的とする。
【課題を解決するための手段】
【００１０】
上述した課題を解決するために、本発明の電話装置は、ハンドセットの動きを検出する動きセンサーおよびハンドセットへの人体の接触を検出する接触センサーをハンドセットに設け、オフフックの状態で、動きセンサーがハンドセットの動きを検出しなくなった後で接触センサーがハンドセットへの人体の接触を検出しなくなったと判定した場合に、オンフックの状態へ移行するようにしている。
【発明の効果】
【００１１】
上記のように構成した本発明によれば、動きセンサーがハンドセットの動きを検出しなくなる前に接触センサーがハンドセットへの人体の接触を検出しなくなったと判定した場合には、使用者がハンドセットを落として使用者の手からハンドセットが離れたことにより人体の接触が接触センサーにより検出されなくなり、その後にハンドセットが床などに落ちたときの動きが動きセンサーにより検出されるので、オフフックの状態からオンフックの状態へ移行することはない。一方、動きセンサーがハンドセットの動きを検出しなくなった後で接触センサーがハンドセットへの人体の接触を検出しなくなったと判定した場合には、使用者がハンドセットを置いて動きセンサーにより検出されていた動きが検出されなくなり、その後に使用者がハンドセットを手から離したことにより人体の接触が接触センサーにより検出されなくなるので、オフフックの状態からオンフックの状態へ移行することになる。従って、フックスイッチを使用しなくてもハンドセットを置いた際のオンフックを検出することができ、そのオンフックを正確に検出することができる。
【図面の簡単な説明】
【００１２】
【図１】本実施形態による電話装置の外観例を示す図である。
【図２】本実施形態による電話装置の構成例を示すブロック図である。
【図３】本実施形態による電話装置のハンドセットの状態例を示す図（その１）である。
【図４】本実施形態による電話装置のハンドセットの状態例を示す図（その２）である。
【発明を実施するための形態】
【００１３】
以下、本発明の一実施形態を図面に基づいて説明する。本実施形態による電話装置の外観例を図１に示す。同図に示すように、本実施形態による電話装置は、ハンドセット１、本体１０を備えて構成されている。
【００１４】
図１において、ハンドセット１は、使用者が他の電話装置を使用している相手からの呼び出しに応答したり、使用者が他の電話装置を呼び出したり、他の電話装置を使用している相手と会話したりする際に、使用者が手に取って使用するものである。また、ハンドセット１は、伝送線により本体１０に接続されており、伝送線側の第一の凸部１ａにマイク２を内蔵し、反対側の第二の凸部１ｂにスピーカー３を内蔵している。また、ハンドセット１には、使用者によって把持される部分の表面に接触センサー４の電極が配置されている。
【００１５】
本体１０は、他の電話装置との間で通話路を形成した場合に、他の電話装置から音声信号を入力してハンドセット１へ出力したり、ハンドセット１から音声信号を入力して他の電話装置へ出力したりするためのものである。また、本体１０には、ハンドセット１を置くための置き台１１が形成されており、置き台１１には、第一の凸部１ａを収容する第一の凹部１１ａおよび第二の凸部１ｂを収容する第二の凹部１１ｂが形成されている。これにより、使用者はハンドセット１を置き台１１に置くことが可能となる。また、本体１０の表面には、プッシュボタン１０ａおよび表示ディスプレイ１０ｂが設けられている。また、本体１０には、他の電話装置から呼び出しが行われた場合に報知音を出力する本体用スピーカー１０ｃが設けられている。
【００１６】
次に、本実施形態による電話装置の構成例を示すブロック図を図２に示す。図２において、ハンドセット１は、マイク２、スピーカー３、接触センサー４、ハンドセット用制御部５、動きセンサー６、ハンドセット用インターフェース（以下、Ｉ／Ｆとする）部７を備えて構成されている。また、本体１０は、制御部１２、インターフェース（以下、Ｉ／Ｆとする）部１３、切替部１４を備えて構成されている。
【００１７】
マイク２は、他の電話装置との間で通話路が形成されている場合に、ハンドセット１を使用している使用者の声を含むハンドセット１の周囲の音声を入力するためのものである。ここで、マイク２の構造やマイク２による音声の入力方法は、周知の技術を用いる。また、マイク２は、ハンドセット１の周囲の音声を入力すると、入力した音声を音声信号に変換してハンドセット用制御部５へ出力する。
【００１８】
スピーカー３は、他の電話装置との間で通話路が形成されている場合に、他の電話装置から入力した音声信号を音声として出力するためのものである。ここで、スピーカー３の構造やスピーカー３による音声の出力方法は、周知の技術を用いる。また、スピーカー３は、ハンドセット用制御部５が入力した音声信号を入力すると、入力した音声信号を音声に変換して出力する。
【００１９】
接触センサー４は、ハンドセット１への人体（例えば、使用者の手など）の接触を検出するためのものである。ここで、接触センサー４は、ハンドセット１の使用者により把持される部分の表面に配置した電極によりハンドセット１への人体の接触を検出する。また、接触センサー４の電極の構造や電極による人体の検出方法は、周知の技術を用いる。また、接触センサー４が人体の接触を検出すると、ハンドセット用制御部５は接触検出信号を生成する。また、接触センサー４が人体の接触を検出し続けている間、ハンドセット用制御部５は接触検出信号を生成し続ける。
【００２０】
ハンドセット用制御部５は、ＣＰＵ（Ｃｅｎｔｒａｌ  Ｐｒｏｃｅｓｓｉｎｇ  Ｕｎｉｔ）などにより構成されており、ハンドセット１の各構成要素を制御する。動きセンサー６は、加速度センサーなどにより構成されており、ハンドセット１の動きを検出するためのものである。ここで、動きセンサー６は、ハンドセット１に内蔵されている。また、動きセンサー６の加速度センサーの構造や加速度センサーによる動きの検出方法は、周知の加速度センサーの技術を用いる。また、動きセンサー６がハンドセット１の動きを検出すると、ハンドセット用制御部５は動き検出信号を生成する。また、動きセンサー６が動きを検出し続けている間、ハンドセット用制御部５は動き検出信号を生成し続ける。
【００２１】
ハンドセット用Ｉ／Ｆ部７は、伝送線を介してハンドセット１に本体１０を接続している。また、他の電話装置との間で通話路が形成されている状態で、ハンドセット用Ｉ／Ｆ部７は、本体１０から出力された音声信号を入力する。また、ハンドセット用Ｉ／Ｆ部７は、ハンドセット用制御部５にて生成した接触検出信号および動き検出信号を本体１０へ出力する。また、他の電話装置との間で通話路が形成されている状態で、ハンドセット用Ｉ／Ｆ部７は、マイク２から入力した音声信号を本体１０へ出力する。
【００２２】
制御部１２は、ＣＰＵなどにより構成されており、本体１０の各構成要素を後述するように制御する。Ｉ／Ｆ部１３は、伝送線を介して本体１０にハンドセット１を接続している。また、Ｉ／Ｆ部１３は、交換機および他の伝送線を介して他の電話装置を接続している。また、Ｉ／Ｆ部１３は、ハンドセット１から出力された接触検出信号および動き検出信号を入力する。また、他の電話装置との間で通話路が形成されている状態で、Ｉ／Ｆ部１３は、ハンドセット１から出力された音声信号を入力するとともに、その音声信号を他の電話装置へ出力する。また、他の電話装置との間で通話路が形成されている状態で、Ｉ／Ｆ部１３は、他の電話装置から出力された音声信号を入力するとともに、その音声信号をハンドセット１へ出力する。ここで、交換機は、所謂ＰＢＸ（Ｐｒｉｖａｔｅ  Ｂｒａｎｃｈ  ｅＸｃｈａｎｇｅ）であり、電話装置と他の電話装置との接続を行う際の中継装置である。
【００２３】
切替部１４は、オフフックの状態およびオンフックの状態を切り替えるものである。ここで、電話装置が使用者により使用されていない場合（換言すると、ハンドセット１が使用者によって把持されておらず、置き台１１に置かれている場合）には、切替部１４は、電話装置をオンフックの状態へ切り替える。一方、電話装置が使用者により使用されている場合（換言すると、電話装置と他の電話装置との間で通話路が形成されていたり、使用者がハンドセット１を置き台１１から取り上げたりしている場合）には、切替部１４は、電話装置をオフフックの状態へ切り替える。また、制御部１２は、Ｉ／Ｆ部１３がハンドセット１から出力された接触検出信号および動き検出信号を入力しているか否かを常に判定するとともに、接触検出信号および動き検出信号を入力するタイミングおよび入力しなくなるタイミングを常に判定する。
【００２４】
ハンドセット１が置き台１１に置かれている初期状態において、制御部１２は、切替部１４を制御して、電話装置をオンフックの状態へ切り替える。この初期状態で、この電話装置が他の電話装置から呼び出されると、制御部１２は本体用スピーカー１０ｃを鳴動させ、本体用スピーカー１０ｃは報知音を出力する。この報知音を聞いた使用者が本体１０の置き台１１に置かれているハンドセット１を触ると、接触センサー４が人体の接触を検出し、ハンドセット用制御部５は接触検出信号を生成する。
【００２５】
ハンドセット用Ｉ／Ｆ部７は、ハンドセット用制御部５にて生成された接触検出信号を入力し、この接触検出信号を本体１０へ出力する。また、ハンドセット１を触った使用者がそのままハンドセット１を取り上げると、動きセンサー６がハンドセット１の動きを検出し、ハンドセット用制御部５は動き検出信号を生成する。ハンドセット用Ｉ／Ｆ部７は、ハンドセット用制御部５にて生成された動き検出信号を入力し、この動き検出信号を本体１０へ出力する。
【００２６】
本体１０では、Ｉ／Ｆ部１３が接触検出信号および動き検出信号を入力する。制御部１２は、Ｉ／Ｆ部１３が接触検出信号を入力した後で動き検出信号を入力したと判定し、切替部１４を制御して、電話装置をオフフックの状態へ切り替える。また、制御部１２は、他の電話装置との間で通話路を形成する。
【００２７】
また、上述した初期状態で、使用者が本体１０の置き台１１に置かれているハンドセット１を触ると、接触センサー４が人体の接触を検出し、ハンドセット用制御部５は接触検出信号を生成する。ハンドセット用Ｉ／Ｆ部７は、ハンドセット用制御部５にて生成された接触検出信号を入力し、この接触検出信号を本体１０へ出力する。また、ハンドセット１を触った使用者がそのままハンドセット１を取り上げると、動きセンサー６がハンドセット１の動きを検出し、ハンドセット用制御部５は動き検出信号を生成する。ハンドセット用Ｉ／Ｆ部７は、ハンドセット用制御部５にて生成された動き検出信号を入力し、この動き検出信号を本体１０へ出力する。
【００２８】
本体１０では、Ｉ／Ｆ部１３が接触検出信号および動き検出信号を入力する。制御部１２は、Ｉ／Ｆ部１３が接触検出信号を入力した後で動き検出信号を入力したと判定し、切替部１４を制御して、電話装置をオフフックの状態に切り替える。このように、電話装置が使用者により使用されている場合には、電話装置はオフフックの状態となる。
【００２９】
電話装置がオフフックの状態である場合に、Ｉ／Ｆ部１３が動き検出信号を入力しなくなり、その後で接触検出信号を入力しなくなったと制御部１２にて判定すると、制御部１２は切替部１４を制御して、電話装置をオンフックの状態へ切り替える。一方、Ｉ／Ｆ部１３が接触検出信号を入力しなくなり、その後で動き検出信号を入力しなくなったと制御部１２にて判定すると、制御部１２は切替部１４を制御しない。
【００３０】
図３、図４は、本実施形態による電話装置のハンドセット１の状態例を示す図である。図３（ａ−１）に示すように、ハンドセット１を把持している使用者がそのハンドセット１を置き台１１に置く場合、使用者はハンドセット１を置き台１１まで移動させるため、動きセンサー６はハンドセット１の動きを検出し、ハンドセット用制御部５は動き検出信号を生成して、ハンドセット用Ｉ／Ｆ部７は動き検出信号を出力する。この間、接触センサー４は人体の接触を検出し続けているため、ハンドセット用制御部５は接触検出信号を生成して、ハンドセット用Ｉ／Ｆ部７は接触検出信号を出力する。
【００３１】
そのため、Ｉ／Ｆ部１３は、接触検出信号および動き検出信号を入力している状態である。この状態で、図３（ａ−２）に示すように、使用者がハンドセット１を置き台１１に置くと、動きセンサー６はハンドセット１の動きを検出しなくなり、ハンドセット用Ｉ／Ｆ部７は動き検出信号を出力しなくなる。すると、Ｉ／Ｆ部１３は動き検出信号を入力しなくなる。この状態で、図３（ａ−３）に示すように、使用者がハンドセット１から手を離すと、接触センサー４は人体の接触を検出しなくなり、ハンドセット用Ｉ／Ｆ部７は接触検出信号を出力しなくなる。そして、Ｉ／Ｆ部１３は接触検出信号を入力しなくなる。このとき、制御部１２は、Ｉ／Ｆ部１３が動き検出信号を入力しなくなり、その後で接触検出信号を入力しなくなったと判定するため、制御部１２は切替部１４を制御して、電話装置をオンフックの状態へ切り替える。
【００３２】
一方、図４（ｂ−１）に示すように、ハンドセット１を把持している使用者がハンドセット１を床などに落とした場合、図４（ｂ−２）に示すように、ハンドセット１が使用者の手から離れる。そのため、接触センサー４は人体の接触を検出しなくなり、ハンドセット用Ｉ／Ｆ部７は接触検出信号を出力しなくなる。すると、Ｉ／Ｆ部１３は接触検出信号を入力しなくなる。この状態で、ハンドセット１が落ちると、動きセンサー６がハンドセット１の動きを検出し、ハンドセット用Ｉ／Ｆ部７は動き検出信号を出力する。そして、Ｉ／Ｆ部１３は動き検出信号を入力する。図４（ｂ−３）に示すように、ハンドセット１が床に到達すると、ハンドセット１の動きが止まって、動きセンサー６がハンドセット１の動きを検出しなくなり、ハンドセット用Ｉ／Ｆ部７は動き検出信号を出力しなくなる。そのため、Ｉ／Ｆ部１３は動き検出信号を入力しなくなる。このとき、制御部１２は、Ｉ／Ｆ部１３が接触検出信号を入力しなくなり、その後で動き検出信号を入力しなくなったと判定するため、制御部１２は切替部１４を制御して、電話装置をオンフックの状態へ切り替えない（換言すると、制御部１２は切替部１４を動作させない）。
【００３３】
以上、詳しく説明したように、本発明の電話装置では、ハンドセット１への人体の接触を検出する接触センサー４およびハンドセット１の動きを検出する動きセンサー６をハンドセット１に設ける。接触センサー４が人体の接触を検出した場合に、ハンドセット用制御部５は接触検出信号を生成する。また、動きセンサー６がハンドセット１の動きを検出した場合に、ハンドセット用制御部５は動き検出信号を生成する。ハンドセット用Ｉ／Ｆ部７は、ハンドセット用制御部５にて生成された接触検出信号および動き検出信号を入力して本体１０へ出力する。そして、電話装置がオフフックの状態である場合に、Ｉ／Ｆ部１３が接触検出信号を入力しなくなり、その後で動き検出信号を入力しなくなったと制御部１２にて判定すると、制御部１２は切替部１４を制御せず、電話装置をオンフックの状態へ切り替えないようにしている。一方、電話装置がオフフックの状態である場合に、Ｉ／Ｆ部１３が動き検出信号を入力しなくなり、その後で接触検出信号を入力しなくなったと制御部１２にて判定すると、制御部１２は切替部１４を制御して、電話装置をオンフックの状態へ切り替えるようにしている。
【００３４】
これにより、動きセンサー６がハンドセット１の動きを検出しなくなる前に接触センサー４がハンドセット１への人体の接触を検出しなくなったと判定した場合には、使用者がハンドセット１を落として使用者の手からハンドセット１が離れたことにより人体の接触が接触センサー４により検出されなくなり、その後にハンドセット１が床などに落ちたときの動きが動きセンサー６により検出されたと判断されるので、オフフックの状態からオンフックの状態へ移行することはない。一方、動きセンサー６がハンドセット１の動きを検出しなくなった後で接触センサー４がハンドセット１への人体の接触を検出しなくなったと判定した場合には、使用者がハンドセット１を置いて動きセンサー６により検出されていた動きが検出されなくなり、その後に使用者がハンドセット１を手から離したことにより人体の接触が接触センサー４により検出されなくなったと判断されるので、オフフックの状態からオンフックの状態へ移行することになる。従って、フックスイッチを使用しなくてもハンドセット１を置いた際のオンフックを検出することができ、そのオンフックを正確に検出することができる。
【００３５】
なお、前述した実施形態では、制御部１２、Ｉ／Ｆ部１３、切替部１４は、本体１０に設けられているが、これに限定されない。例えば、制御部１２、Ｉ／Ｆ部１３、切替部１４をハンドセット１に設けるようにしても良い。
【００３６】
また、前述した実施形態では、ハンドセット１は、伝送線を介して本体１０に接続されているが、これに限定されない。例えば、ハンドセット１が本体１０と無線通信するようにしても良い。
【００３７】
また、前述した実施形態では、ハンドセット用制御部５が接触検出信号および動き検出信号を生成しているが、これに限定されない。例えば、接触センサー４が接触検出信号を生成し、動きセンサー６が動き検出信号を生成するようにしても良い。
【００３８】
また、前述した実施形態では、ハンドセット用制御部５は、接触センサー４が人体の接触を検出している間、常時接触検出信号を生成しているが、これに限定されない。例えば、接触センサー４が人体の接触を検出した場合および接触センサー４が人体の接触を検出しなくなった場合に、ハンドセット用制御部５が接触検出信号を生成するようにしても良い。この場合、ハンドセット用制御部５は、接触センサー４が人体の接触を検出したことと、接触センサー４が人体の接触を検出しなくなったこととを制御部１２が区別することができるように接触検出信号を生成する必要がある。
【００３９】
また、前述した実施形態では、ハンドセット用制御部５は、動きセンサー６がハンドセット１の動きを検出している間、常時動き検出信号を生成しているが、これに限定されない。例えば、動きセンサー６がハンドセット１の動きを検出した場合および動きセンサー６がハンドセット１の動きを検出しなくなった場合に、ハンドセット用制御部５が動き検出信号を生成するようにしても良い。この場合、ハンドセット用制御部５は、動きセンサー６がハンドセット１の動きを検出したことと、動きセンサー６がハンドセット１の動きを検出しなくなったこととを制御部１２が区別することができるように動き検出信号を生成する必要がある。
【００４０】
その他、電話装置の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４１】
１    ハンドセット
１ａ    第一の凸部
１ｂ    第二の凸部
２    マイク
３    スピーカー
４    接触センサー
５    ハンドセット用制御部
６    動きセンサー
７    ハンドセット用インターフェース（Ｉ／Ｆ）部
１０    本体
１０ａ    プッシュボタン
１０ｂ    表示ディスプレイ
１０ｃ    本体用スピーカー
１１    置き台
１１ａ    第一の凹部
１１ｂ    第二の凹部
１２    制御部
１３    インターフェース（Ｉ／Ｆ）部
１４    切替部
【図１】
2012231345.tif 000003
【図２】
2012231345.tif 000004
【図３】
2012231345.tif 000005
【図４】
2012231345.tif 000006